(57)【要約】【課題】  インパクトからフォロースルーにおける腕の動き、特にフォロースルー中における左腕が真っすぐ伸びた大きなフォロースルーの動きを練習することができるゴルフ練習器具を提供する。【解決手段】  ゴルフクラブ１をスイングする際のインパクトからフォロースルーにおける腕の動きを練習するためのゴルフ練習器具１１であって、上記ゴルフクラブ１のグリップ４と略平行に並んで伸びるように設けられたサブグリップ１４を有しているとともに、該ゴルフクラブ１のグリップ４に対する該サブグリップ１４の並び方向がスイング方向と略直交している。【選択図】      図１
2016120016.tif 000002
【特許請求の範囲】
【請求項１】
ゴルフクラブをスイングする際のフォロースルーにおける両腕の動きを練習するためのゴルフ練習器具であって、
一方の手で握るメイングリップと他方の手で握るサブグリップとを有しており、
該サブグリップが該メイングリップと略平行に並んで伸びているとともに、該サブグリップと該メイングリップとが前後方向に並んでいる
ことを特徴とするゴルフ練習器具。
【請求項２】
上記ゴルフ練習器具は、クラブシャフトの一端部にクラブヘッドが設けられているとともに、該クラブシャフトの他端部にグリップが設けられている実際のゴルフクラブに装着して使用されるものであり、
前後方向に伸びるように上記クラブシャフトの中間部に固定される取付アームと、該取付アームの先端から上記クラブシャフトと略平行に伸びるように設けられたサブシャフトと、を有しており、該サブシャフトの一端部に前記サブグリップを設けるとともに、上記ゴルフクラブのグリップを前記メイングリップとして使用する
請求項１に記載のゴルフ練習器具。
【請求項３】
上記ゴルフ練習器具は、一端部に前記メイングリップが設けられているメインシャフトと、一端部に前記サブグリップが設けられているサブシャフトと、を少なくとも備えている練習用のゴルフクラブとして使用されるものであり、
上記メインシャフトの他端部と上記サブシャフトの他端部とが繋がっており、前記メイングリップと前記サブグリップとが前後方向に並ぶように両腕に構えて使用するものである
請求項１に記載のゴルフ練習器具。
【請求項４】
前記練習用のゴルフクラブは、更に、前記メインシャフトの他端部と前記サブシャフトの他端部とが繋がった箇所から伸びるクラブシャフトを備えているとともに、該クラブシャフトの先端部にはクラブヘッドが設けられている
請求項３に記載のゴルフ練習器具。
【発明の詳細な説明】
【技術分野】
【０００１】
本発明は、ゴルフクラブをスイングする際の特にインパクトからフォロースルーにおける両腕の動きを練習するためのゴルフ練習器具に関するものである。
【背景技術】
【０００２】
従来、ゴルフにおけるスイングを練習するためのゴルフ練習器具として、例えば特許文献１〜４に示すように、ゴルフクラブのグリップの他に、更にサブグリップを設けたものが提案されている。
詳しくは、特許文献１のものは、ゴルフクラブのグリップと概ね同一の太さと長さを持つ補助グリップ本体（サブグリップ）が、ゴルフクラブに着脱自在に固定されるようになっており、また該補助グリップ本体は、ゴルフクラブのグリップに対して略スイング方向である横方向に並べて配置されている。
特許文献２のものは、ゴルフクラブのクラブシャフトと平行に副クラブ軸（サブシャフト）が設けられるとともに、該副クラブ軸にグリップ（サブグリップ）が設けられており、両手が各々主・副クラブを平行に握る姿勢を取るために、副クラブ軸のグリップは、ゴルフクラブのグリップに対して略スイング方向である横方向に並べて配置されている。
特許文献３のものは、補助グリップ（サブグリップ）がゴルフクラブのグリップと小さい角度αを介して上端が開くように取り付けられており、また該補助グリップ本体は、ゴルフクラブのグリップに対して略スイング方向である横方向へ突出するように配置されている。
特許文献４のものは、ゴルフクラブのクラブシャフトをＹ字状とすることで２本のグリップを設けた構成とし、また２本のグリップは、略スイング方向である横方向に並んで配置されている。
【先行技術文献】
【特許文献】
【０００３】
【特許文献１】実公平４−５１８２７号公報
【特許文献２】実開平４−１１４３７５号公報
【特許文献３】特開平８−２８０８６７号公報
【特許文献４】特開２００４−２４９０４９号公報
【発明の概要】
【発明が解決しようとする課題】
【０００４】
ところで、上記従来のゴルフ練習器具にあっては、ゴルフクラブのグリップとサブグリップとを略スイング方向である横方向に並べた構成としており、アドレスからバックスイング、そしてインパクトまで、ゴルフボールに対してクラブヘッドのフェース面をスイング方向からまっすぐ当てることには優れる。一方、実際のゴルフのスイングにおいては、フォロースルーを大きく取ること、つまりスイング中のフォロースルーでクラブヘッドを上手に返し、クラブヘッドをスイング方向の前方向に大きく出せるようにすることも重要である。しかし、上記従来のゴルフ練習器具のようにグリップとサブグリップとを略スイング方向である横方向に並べた構成としてしまうと、左右の前腕をロールさせる動きが制限され、スイング中の左右の腕を上下に入れ替えにくくなってしまうため、左ひじが曲がって縮こまってしまい、インパクトからフォロースルーにおける両腕の動き、特に両腕の返しと、左腕の折り畳みを練習することが出来ないという問題点があった。
本発明は、このような従来技術に存在する問題点に着目してなされたものである。その目的とするところは、インパクトからフォロースルーにおける両腕の動きを練習することができるゴルフ練習器具を提供することにある。
【課題を解決するための手段】
【０００５】
上記従来の問題点を解決する手段として、請求項１に記載のゴルフ練習器具の発明は、ゴルフクラブをスイングする際のフォロースルーにおける両腕の動きを練習するためのゴルフ練習器具であって、一方の手で握るメイングリップと他方の手で握るサブグリップとを有しており、該サブグリップが該メイングリップと略平行に並んで伸びているとともに、該サブグリップと該メイングリップとがスイング方向と略直交する方向である前後方向に並んでいることを要旨とする。
請求項２に記載の発明は、請求項１に記載のゴルフ練習器具の発明において、上記ゴルフ練習器具は、クラブシャフトの一端部にクラブヘッドが設けられているとともに、該クラブシャフトの他端部にグリップが設けられている実際のゴルフクラブに装着して使用されるものであり、前記スイング方向と略直交する方向である前後方向に伸びるように上記クラブシャフトの中間部に固定される取付アームと、該取付アームの先端から上記クラブシャフトと略平行に伸びるように設けられたサブシャフトと、を有しており、該サブシャフトの一端部に前記サブグリップを設けるとともに、上記ゴルフクラブのグリップを前記メイングリップとして使用することを要旨とする。
請求項３に記載の発明は、請求項１に記載のゴルフ練習器具の発明において、上記ゴルフ練習器具は、一端部に前記メイングリップが設けられているメインシャフトと、一端部に前記サブグリップが設けられているサブシャフトと、を少なくとも備えている練習用のゴルフクラブとして使用されるものであり、上記メインシャフトの他端部と上記サブシャフトの他端部とが繋がっており、前記メイングリップと前記サブグリップとがスイング方向と略直交する方向である前後方向に並ぶように両腕に構えて使用するものであることを要旨とする。
請求項４に記載の発明は、請求項３に記載のゴルフ練習器具の発明において、前記練習用のゴルフクラブは、更に、前記メインシャフトの他端部と前記サブシャフトの他端部とが繋がった箇所から伸びるクラブシャフトを備えているとともに、該クラブシャフトの先端部にはクラブヘッドが設けられていることを要旨とする。
【発明の効果】
【０００６】
〔作用〕
本発明のゴルフ練習器具によれば、サブグリップは、ゴルフクラブのグリップに相当するメイングリップと略平行に並んで伸びるように設けられるとともに、該メイングリップに対する並び方向がスイング方向と略直交する前後方向とされている。このため、ゴルフクラブをスイングする際のフォロースルーにおいて、左右の前腕をロールさせやすく、ゴルフクラブが体の正面を通り過ぎた後に、意識して右腕が左腕の上に来るように左右の前腕の上下を入れ替えて両腕を返すことができ、特にフォロースルー中における左腕が真っすぐ伸びた大きなフォロースルーの動きを練習することができる。
また上記ゴルフ練習器具を、上記サブグリップに加えて更に、サブシャフトと、取付アームと、を有する構成とし、実際のゴルフクラブに装着して使用するものとすることで、自分が実際に使用しているゴルフクラブを使用して、スイング練習をすることが可能となる。
また上記ゴルフ練習器具を、一端部に前記メイングリップが設けられているメインシャフトと、一端部に前記サブグリップが設けられているサブシャフトと、を少なくとも備え、該メインシャフトの他端部と該サブシャフトの他端部とが繋がった構成の練習用のゴルフクラブとすることで、実際のゴルフクラブを使用せずにスイング練習をすることが可能となる。
また上記練習用のゴルフクラブは、前記メインシャフトの他端部と前記サブシャフトの他端部とが繋がった箇所から伸びるクラブシャフトと、該クラブシャフトの先端部に前後方向に伸びるように設けられたクラブヘッドとを備える構成とすることで、実際のゴルフクラブを使用した場合と略同様のスイング練習をすることが可能となる。
【０００７】
〔効果〕
本発明のゴルフ練習器具によれば、インパクトからフォロースルーにおける両腕の動き、特にフォロースルー中における左腕が真っすぐ伸びた大きなフォロースルーの動きを練習することができる。
【図面の簡単な説明】
【０００８】
【図１】第１実施例のゴルフ練習器具を実際のゴルフクラブに装着した状態を示す（ａ）は側面図、（ｂ）は正面図、（ｃ）は平断面図。
【図２】ゴルフクラブのスイングにおける（ａ）はインパクトを示す説明図、（ｂ）はフォロースルー中を示す説明図、（ｃ）はフォロースルー後を示す説明図。
【図３】第２実施例のゴルフ練習器具である練習用のゴルフクラブを示す側面図。
【図４】（ａ），（ｂ）は別形態のゴルフ練習器具である練習用のゴルフクラブを示す側面図。
【発明を実施するための形態】
【０００９】
〔第１実施例〕
本発明を具体化した第１実施例を、図面を用いて説明する。
図１（ａ）〜（ｃ）に示すように、ゴルフ練習器具１１は、ゴルフクラブ１に装着して使用されるものである。該ゴルフクラブ１は、実際のものであり、棒状のクラブシャフト２の先端部にクラブヘッド３が設けられているとともに、該クラブシャフト３の後端部にグリップ４が設けられている。そして、該ゴルフクラブ１は、クラブヘッド３のフェース面３Ａに正対する方向（図１（ｂ），（ｃ）中に矢印で示す）、つまり右側から左側の横方向がスイング方向とされる。
上記ゴルフ練習器具１０は、上記ゴルフクラブ１のクラブシャフト２と平行に伸びるように配置されているサブシャフト１２と、該サブシャフト１２の先端部と上記クラブシャフト２の中間部とを連結して固定する取付アーム１３と、を有しており、該取付アーム１３の後端部にはサブグリップ１４が設けられている。
上記ゴルフ練習器具１０は、上記クラブシャフト２に対する上記取付アーム１３の連結方向と、該クラブシャフト２の軸線方向から見た該クラブシャフト２に対する上記クラブヘッド３の突出方向とが揃うように、ゴルフクラブ１に装着される（図１（ｃ）参照）。その結果、上記サブグリップ１４は、上記クラブシャフト２と上記サブシャフト１２とが平行に伸びるように配置されているから、メイングリップとして使用する上記ゴルフクラブ１のグリップ４と平行に並んで伸びるように設けられており、更にメイングリップである上記グリップ４に対する並び方向が、スイング方向と直交する前後方向とされている。
なお本実施形態の取付アーム１３は、曲げ加工により両端部に半円弧状部を形成した一対の金属板からなり、これら一対の金属板を重ねたうえで該半円弧状部の間にクラブシャフト２又はサブシャフト１２を挟み込み、ネジとナットで締め付けることによって、サブシャフト１２の先端部とクラブシャフト２の中間部とを連結して固定している。但し、該取付アーム１３の構成は、サブシャフト１２とクラブシャフト２とを連結固定可能であれば、例えば筒状部材をＬ字状に曲げてサブシャフト１２と一体的に形成する等のように、本実施形態に限らず何れの構成としてもよい。
【００１０】
上記ゴルフ練習器具１１を使用する場合には、メイングリップである上記ゴルフクラブ１のグリップ４を一方の手（本実施例では左手）で握り、サブグリップ１４を他方の手（本実施例では右手）で握ってスイングを行う。該スイングに際しては、アドレスからテークバックで該ゴルフクラブ１を横方向（本実施例では右方向）へ大きく振り上げ、ここから振り下ろすと、図２（ａ）に示すように、インパクトでゴルフボール（図示略）にクラブヘッド３が当たる。
該インパクトの後、フォロースルーで更に横方向（本実施形態では左方向）へゴルフクラブ１を振り抜くと、ゴルフボールがスイング方向へ飛ぶ。該フォロースルー中において、両腕が伸びた状態のまま横方向へスイングすると、上記サブグリップ１４が上記グリップ４と平行に並んで伸び、且つ上記サブグリップ１４と上記グリップ４とがスイング方向と直交する方向である前後方向に並んでいるため、図２（ｂ）に示すように、両腕の前腕が自然にロールし、サブグリップ１４及びグリップ４が返り、これに伴ってクラブヘッド３が返る。
その後、図２（ｃ）に示すように、腰を回転させてゴルフクラブ１を振り抜きつつ、その動きに任せてグリップ４を握る側の腕（本実施例では左腕）を曲げながら返すことにより、フォロースルーの際の理想的な腕の動きを無理なく再現することができる。
【００１１】
〔第２実施例〕
以下に本発明を具体化した第２実施例を、図面を用いて説明するが、これ以降の実施例については、上記第１実施例と異なる点を中心に説明する。
図３に示すように、ゴルフ練習器具である練習用のゴルフクラブ２１は、クラブシャフト２２の先端部にクラブヘッド２３が設けられているとともに、該クラブシャフト２２の基端部からメインシャフト２２Ａとサブシャフト２２Ｂとが分岐して設けられており、該クラブシャフト２２、メインシャフト２２Ａ及びサブシャフト２２Ｂが全体でＹ字状をなしている。そして、該練習用のゴルフクラブ２１は、クラブヘッド２３のフェース面２３Ａに正対する方向（図３において紙面と直交する方向）がスイング方向とされる。
上記メインシャフト２２Ａの一端部には、メイングリップ２４が設けられている。上記サブシャフト２２Ｂの一端部には、サブグリップ１４が設けられている。該メインシャフト２２Ａの他端部と、該サブシャフト２２Ｂの他端部とは、上記クラブシャフト２２の基端部で繋がっているが、該メインシャフト２２Ａと該サブシャフト２２Ｂとは、それぞれの他端部を除き、上記スイング方向と略直交する方向である前後方向に並んで平行に伸びるように設けられている。よって、メインシャフト２２Ａの一端部に設けられたメイングリップ２４と、サブシャフト２２Ｂの一端部に設けられたサブグリップ１４とは、スイング方向と略直交する方向である前後方向に並んで平行に伸びるように配置されている。
【００１２】
ゴルフ練習器具である上記練習用のゴルフクラブ２１にあっては、メイングリップ２４を一方の手（本実施例では左手）で握り、サブグリップ１４を他方の手（本実施例では右手）で握ってスイングを行う。すると、上記第１実施例と同様にしてフォロースルーの際の理想的な腕の動きを無理なく再現することができる。
また本実施例では、クラブシャフト２２及びクラブヘッド２３が設けられているため、実際にゴルフボールを打つことが可能であり、練習用のゴルフクラブ２１でありながら実践的なスイング練習をすることができるという利点を有する。
更に図３に示したように、メインシャフト２２Ａとサブシャフト２２Ｂとの間で丁度中央の線を通るようにクラブシャフト２２を配置することで、上記フェース面２３Ａのスイートスポットでゴルフボールを打ちやすくなり、効果的なスイング練習をすることができるという利点を有する。
【００１３】
〔変更例〕
本発明は上記実施例に示した構成に限定されるものではなく、以下の様に変更して構成してもよい。
図４（ａ）に示すように、上記ゴルフ練習器具である練習用のゴルフクラブ３１として、クラブシャフト３２とメインシャフト３２Ａとを一直線状とし、一直線状をなすクラブシャフト３２とメインシャフト３２Ａとの間からサブシャフト３２Ｂを分岐して設け、メインシャフト３２Ａの一端部にメイングリップ３４を、サブシャフト３２Ｂの一端部にサブグリップ１４をそれぞれ設けてもよい。
図４（ｂ）に示すように、上記ゴルフ練習器具である練習用のゴルフクラブ４１として、一端部にメイングリップ４４が設けられたメインシャフト４２Ａの他端部と、一端部にサブグリップ１４が設けられたサブシャフト４２Ｂの他端部とを繋ぎ、クラブシャフトとクラブヘッドを省略した構成とすることで、素振り専用のものとしてもよい。
上記第２実施例において、クラブヘッド２３を省略した構成とし、素振り専用の練習用のゴルフクラブ２１としてもよい。
【符号の説明】
【００１４】
１，２１，３１，４１  ゴルフクラブ
２，２２，３２  クラブシャフト
３，２３  クラブヘッド
４  グリップ
２４，３４，４４  メイングリップ
１１    ゴルフ練習器具
１２    サブシャフト
１３    取付アーム
１４    サブグリップ
【図１】
2016120016.tif 000003
【図２】
2016120016.tif 000004
【図３】
2016120016.tif 000005
【図４】
2016120016.tif 000006